(57)【要約】【課題】ステップ取付け後にステップの表側から落下錠のロック解除を簡単に行えるようにしたコーナーステップを提供する。【解決手段】ステップ本体１２の前端部の左右両端に、足場用建枠２の横材３に対し上方から嵌脱自在に係止されるフック本体１３，１３を突設すると共に、ステップ本体１２前端部の左右方向中間部下面側に受け金具１４を突設し、受け金具１４には、横材３に係合してフック本体１３の上方向への移動を阻止するための落下錠１５を、フック本体１３の上方向への移動を阻止するロック位置とその上方向への移動を許すロック解除位置との間で揺動自在で、常時は自重でロック位置に保持されるように取り付けると共に、落下錠１５をロック位置からロック解除位置に引き上げ操作する操作片１６を、ステップ本体１２に貫設した貫通口１７から常時上方へ若干突出するように落下錠１５に連設する。【選択図】図２
2008138435.tif 000002
【特許請求の範囲】
【請求項１】
枠組足場の足場板によって形成される作業床兼用の通路とこれに直交する他の通路とが交差するコーナー部において互いに直交する一方の足場板の妻側端部と他方の足場板の桁側端部との間の隙間を塞ぐようにしたコーナーステップであって、
矩形板状ステップ本体の前端部の左右両端に、足場用建枠の横材に対し上方から嵌脱自在に係止されるフック本体を突設すると共に、ステップ本体前端部の左右方向中間部下面側に受け金具を突設し、この受け金具には、前記横材に係合してフック本体の上方向への移動を阻止するための落下錠を、フック本体の上方向への移動を阻止するロック位置とその上方向への移動を許すロック解除位置との間で揺動自在で、常時は自重でロック位置に保持されるように取り付けると共に、この落下錠をロック位置からロック解除位置に引き上げ操作するための操作片を、ステップ本体前端部に貫設した貫通口からフック本体の表面側へ突出するように落下錠に連設してなるコーナーステップ。
【請求項２】
左右一対の落下錠を、受け金具の対向する両側一対の支持壁部間に横架した上下一対のピンによって、ロック位置とロック解除位置との間で揺動自在で、常時は自重でロック位置に保持されるように取り付けてなる請求項１に記載のコーナーステップ。
【発明の詳細な説明】
【技術分野】
【０００１】
本発明は、足場板のコーナーステップに関するもので、枠組足場の足場板によって形成される作業床兼用の通路とこれに直交する他の作業床兼用通路とが交差するコーナー部において互いに直交する一方の足場板の妻側端部と他方の足場板の桁側端部との間の隙間を塞ぐように前記一方の足場板が掛け渡される足場用建枠の横材に取り付けられるコーナーステップに関する。
【背景技術】
【０００２】
従来のコーナーステップとして、公開公報等の公知文献を具体的に示すことはできないが、現在使用されているコーナーステップを図８及び図９を参照して具体的に説明する。図８に示すように、枠組足場の足場板１によって夫々形成される作業床兼用の例えば縦通路Ｐ１と、この縦通路Ｐ１と直交する横通路Ｐ２とが交差するコーナー部において、横通路Ｐ２の足場板１の妻側端部と縦通路Ｐ１の桁側端部との間には、その中に介在する足場用建枠２の横材３を除いて例えば６〜７ｃｍの隙間Ｓができ、この隙間Ｓを放置しておくと危険であるため、この隙間Ｓを塞ぐようにコーナーステップ５１が取り付けられる。
【０００３】
この従来のコーナーステップ５１は、図９の(a) 〜(c) に示すように、矩形板状ステップ本体５２の前端部の左右両端に足場板１と同様なフックＦを取り付けたものからなる。フックＦは、足場用建枠２の横材３に対し上方から嵌脱自在に係止されるフック本体５３と、横材３に係合してフック本体５３の上方向への移動を阻止するための落下錠５４と、から構成され、落下錠５４は、上下２箇所の長孔５５，５６に夫々通されてフック本体５３に固着されたピン５７，５８により、図９の(c) に実線で示すロック位置と二点鎖線で示すロック解除位置との間でスライド自在に取り付けて、常時は自重でロック位置に保持し、このロック位置で、フック本体５３と落下錠５４とで横材３の外周の半周以上を抱持する状態となって、フック本体５３の上方向への移動を阻止し、足場板１の浮き上がりを防止する。尚、図７から分かるように、ステップ本体５２の幅は、足場板１と同じで、長さは、足場板１の幅とほぼ同じである。
【０００４】
しかして、このコーナーステップ５１の取付けにあたっては、図８に示すように、横通路Ｐ２の足場板１が掛け渡されている足場用建枠２の横材３にフックＦ，Ｆを係止して、ステップ本体５２の後端部側を横通路Ｐ１側の足場板１に載置することにより、コーナー部における横通路Ｐ２の足場板１の妻側端部と縦通路Ｐ１の桁側端部との間に隙間Ｓを塞いで、作業の安全を図ることができる。フックＦを横材３に係止する時は、落下錠５４を引き上げてロック解除した状態からフック本体５３を横材３に上方から係止すれば、落下錠５４は自重で下動してロック位置となる。そして、コーナーステップ５１を取り外す時は、図８に示すように、横通路Ｐ２側の足場板１の妻側端面と足場用建枠２の横材３との間の３〜４ｃｍの隙間ｓから横材３の下面側に手を差し込んで、各フックＦの落下錠５４を持ち上げて、ロック解除すればよい。
【発明の開示】
【発明が解決しようとする課題】
【０００５】
従来のコーナーステップ５１では、このステップ５１をコーナー部に取り付けた後で、これを取り外す時には、上記のように、足場板１の妻側端面と足場用建枠２の横材３との間の隙間ｓから横材３の下面側に手を差し込んで、各フックＦの落下錠５４を引き上げてロック解除するようにしているが、使用する足場板によっては、足場板の妻側端面と足場用建枠の横材との間に隙間がない場合があり、その場合には落下錠の解除操作ができないため、コーナーステップの取付けができないことなる。図１０の(a) は足場板１の妻側端面ａと足場用建枠２の横材３との間に隙間ｓができる場合を示し、(b) は足場板１の妻側端部に横材３との隙間を塞ぐ隙間塞ぎカバー部Ｋが取り付けてある場合を示す。図１０の(a) ，(b) において、４は足場用建枠２の縦材、５は横材３に係止される足場板１のフックを示す。
【０００６】
本発明は、上記の課題に鑑み、妻側端部に横材との隙間を塞ぐ隙間塞ぎカバー部が設けてある足場板の場合でも、ステップ取付け後にステップの表側から落下錠のロック解除を簡単に行えるようにしたコーナーステップを提供することを目的とする。
【課題を解決するための手段】
【０００７】
上記課題を解決するための手段を、後述する実施形態の参照符号を付して説明すると、請求項１に係る発明は、枠組足場の足場板１によって形成される作業床兼用の通路Ｐ１とこれに直交する他の通路Ｐ２とが交差するコーナー部において互いに直交する一方の足場板１の妻側端部と他方の足場板１の桁側端部との間の隙間Ｓを塞ぐようにしたコーナーステップであって、
矩形板状ステップ本体１２の前端部の左右両端に、足場用建枠２の横材３に対し上方から嵌脱自在に係止されるフック本体１３，１３を突設すると共に、ステップ本体１２前端部の左右方向中間部下面側に受け金具１４を突設し、この受け金具１４には、前記横材３に係合してフック本体１３の上方向への移動を阻止するための落下錠１５を、フック本体１３の上方向への移動を阻止するロック位置とその上方向への移動を許すロック解除位置との間で揺動自在で、常時は自重でロック位置に保持されるように取り付けると共に、この落下錠１５をロック位置からロック解除位置に引き上げ操作するための操作片１６を、ステップ本体１２前端部に貫設した貫通口１７からフック本体１３の表面側へ突出するように落下錠１５に連設してなることを特徴とする。
【０００８】
請求項２に係る発明は、請求項１に記載のコーナーステップにおいて、左右一対の落下錠１５，１５を、受け金具１４の対向する両側一対の支持壁部１４ａ，１４ａ間に横架した上下一対のピン１９，２０によって、ロック位置とロック解除位置との間で揺動自在で、常時は自重でロック位置に保持されるように取り付けてなることを特徴とする。
【発明の効果】
【０００９】
上記解決手段による発明の効果を、後述する実施形態の参照符号を付して説明すると、請求項１に係る発明によれば、コーナーステップ１１の取り外し時は、操作片１６を摘んで引き上げ、ロック位置に保持されている落下錠１５をロック解除した状態で、そのままステップ本体１２を持ち上げることによって簡単に取り外すことができ、従って足場板の妻側端部に横材３との隙間を塞ぐカバー部が設けてある場合でも、コーナーステップ１１の取付け後にステップ本体１２の表側から落下錠１５をロック解除することができる。
【００１０】
請求項２に係る発明のように、左右一対の落下錠１５，１５を、受け金具１４の対向する両側一対の支持壁部１４ａ，１４ａ間に横架した上下一対のピン１９，２０によって、ロック位置とロック解除位置との間で揺動自在で常時は自重でロック位置に保持されるように取り付けるようにすることにより、各落下錠１５の厚みを薄くでき、製作コストを安くできると共に、左右一対の落下錠１５，１５によってロック作用を的確に行なわせることができる。
【発明を実施するための最良の形態】
【００１１】
以下に本発明の好適な実施形態について図面に基づき説明すると、図１の(a) は本発明に係るコーナーステップ１１の取付状態を示す全体概略平面図、(b) は同取付状態の側面図、図２の(a) はコーナーステップ１１の平面図、(b) は側面図、(c) は底面図てあり、図３の(a) は図２の(a) の矢印イで示す部分の拡大図、(b) は(a) のニ−ニ線断面図であり、図４は図２の(a) のロ−ロ線拡大断面図で、(a) は落下錠がロック位置にある状態を示し、(b) は落下錠がロック解除位置にある状態を示す。また図５の(a) は図２の(c) のハで示す部分の拡大図、(b) は(a) のホ−ホ線断面図、(c) は(a) の側面図である。
【００１２】
コーナーステップ１１は、図２の(a)〜(c)に示すように、金属板で形成された平面視矩形状のステップ本体１２からなるもので、ステップ本体１２の表面１２ａには滑り止め止めが施されている。この矩形板状ステップ本体１２の前端部の左右両端に、足場用建枠２の横材３に対した上方から嵌脱自在に係止されるフック本体１３，１３が突設され、またステップ本体１２の前端部の左右方向中間部下面側には前向きコ字状の受け金具１４が突設され、この受け金具１４には、足場用建枠２の横材３に係合してフック本体１３の上方向への移動を阻止するための落下錠１５が、フック本体１３の上方向への移動を阻止するロック位置とその上方向への移動を許すロック解除位置との間で揺動自在で、常時は自重でロック位置に保持されるように取り付けられると共に、この落下錠１５をロック位置からロック解除位置へと引き上げ操作するための操作片（連結片）１６が、ステップ本体１３の前端部に貫設された貫通口１７から常時ステップ本体１２の表面側へ若干突出するように落下錠１５に連設されている。
【００１３】
上記コーナーステップ１１の構造につき図３〜図７を参照して更に詳しく説明すれば、フック本体１３は、図６の(a) に示すような形状であって、ステップ本体１２の前端部の左右両端側に溶接によって固着されている。受け金具１４は、図３の(a) ，(b) 及び図６の(b) ，(c) から分かるように、左右一対の支持壁部１４ａ，１４ａと両支持壁部１４ａ，１４ａをつなぐ連結壁部１４ｂとでコ字状に形成されたもので、ステップ本体１２の裏面１２ｂに溶接されると共に、及びステップ本体１２の裏面１２ｂに固着されたアングル材からなる補強枠１８に溶接されて固着されている。
【００１４】
落下錠１５は、図７の(a) ，(b) から分かるように、左右一対平行に配設されていて、両落下錠１５，１５は、両端部をつなぐ連結片１６を介して一体に形成されており、この連結片１６は、ステップ本体１３の前端部に貫設された貫通口１７から常時上方へ若干突出して、両落下錠１５，１５をロック位置からロック解除位置へと引き上げ操作するための操作片を構成する。
【００１５】
上記両落下錠１５，１５は、図３及び図４から分かるように、連結片（操作片）１６がステップ本体１２の表面１２ａ側に残るように、ステップ本体１２の前端部に貫設されたスリット状の貫通口１７，１７にステップ本体１２の表面１２ａ側から挿入され、そして受け金具１４の対向する両支持壁部１４ａ，１４ａ間に横架される上下一対のピン１９，２０が、両落下錠１５，１５に夫々貫設された上部長孔２１，２１と下部長孔２２，２２とに夫々挿通され、それによって両落下錠１５，１５は、図４の(a) に示すロック位置と(b) に示すロック解除位置との間で揺動自在であって、常時は自重によってロック位置に保持されるようになっている（図３の(b) 及び図５の(b) 参照）。
【００１６】
図２〜図５において、２３は、ステップ本体１２の所要位置に貫設された指挿入孔で、落下錠１５を手でロック位置からロック解除位置５へ引き上げ操作する際に指を挿入できるようになっている。また、図６の(b) 及び(c) において、２４は、受け金具１４の両支持壁部１４ａ，１４ａの上部側に設けられたピン挿通孔で、上部側ピン１９が挿通され、２５は、両支持壁部１４ａ，１４ａの下部側に設けられたピン挿通孔で、下部側ピン２０が挿通される。
【００１７】
上記のように構成されるコーナーステップ１１の取付けにあたっては、図１及び図２に示すように、横通路Ｐ２の足場板１が掛け渡されている足場用建枠２の横材３に左右両フック本体１３，１３を係止して、ステップ本体１２の後端部側を横通路Ｐ１側の足場板１に載置することにより、コーナー部における横通路Ｐ２の足場板１の妻側端部と縦通路Ｐ１の桁側端部との間に隙間Ｓを塞いで、作業の安全を図ることができる。
【００１８】
このコーナーステップ１１の取付けの際に、フック本体１３を横材３に係止する時は、ステップ本体１３前端部の貫通口１７から上方へ突出している操作片１６を摘んで引き上げれば、落下錠１５がロック解除されるから、操作片１６を摘んで引き上げた状態で、両フック本体１３，１３を横材３に係止すればよく、係止後は操作片１６から手を放せば、落下錠１５，１５は自重で下向きに揺動してロック位置に保持される。
【００１９】
コーナーステップ１１を取り外す時は、取付け時と同じ様に、操作片１６を摘んで引き上げ、ロック位置に保持されている落下錠１５，１５をロック解除した状態で、そのままステップ本体１２を持ち上げることによって、簡単にコーナーステップ１１を取り外すことができる。
【００２０】
従って、このコーナーステップ１１によれば、足場板の妻側端部に横材３との隙間を塞ぐカバー部が設けてある場合でも、コーナーステップ１１の取付け後にステップ本体１２の表側から落下錠１５をロック解除することができる。
【００２１】
以上説明した実施形態では、落下錠１５を左右一対設けて、両落下錠１５，１５を、受け金具１４の対向する両側一対の支持壁部１４ａ，１４ａ間に横架した上下一対のピン１９，２０によって取り付けているが、落下錠１５は１個でもよく、その場合には、落下錠１５の厚みを出来るだけ厚くするとよい。但し、この実施形態のように落下錠１５を左右一対設けるようにすれば、各落下錠１５の厚みを薄くでき、製作コストを安くできると共に、左右一対の落下錠１５，１５によりロック作用を的確に行なわせることができる。
【図面の簡単な説明】
【００２２】
【図１】図１の(a) は本発明に係るコーナーステップ１１の取付状態を示す全体概略平面図、(b) は同取付状態の側面図である。
【図２】図２の(a) はコーナーステップ１１の平面図、(b) は側面図、(c) は底面図てある。
【図３】図３の(a) は図２の(a) の矢印イで示す部分の拡大図、(b) は(a) のニ−ニ線断面図である。
【図４】図４は図２の(a) のロ−ロ線拡大断面図で、(a) は落下錠がロック位置にある状態を示し、(b) は落下錠がロック解除位置にある状態を示す。
【図５】また図５の(a) は図２の(c) のハで示す部分の拡大図、(b) は(a) のホ−ホ線断面図、(c) は(a) の側面図である。
【図６】(a) はフック本体を示す正面図であり、(b) は受け金具の側面図、(c) は受け金具の平面図である。
【図７】(a) は落下錠の正面図、(b) は平面図である。
【図８】従来のコーナーステップの取付状態を示す概略平面図である。
【図９】(a) は従来のコーナーステップの平面図、実施形態は側面図、(c) はコーナーステップのフックを示す側面図である。
【図１０】(a) は足場板の妻側端面と横材との間に隙間ができる足場板を示す平面図、(b) は妻側端部に隙間塞ぎカバー部が取り付けてある足場板を示す平面図である。
【符号の説明】
【００２３】
１              足場板
２              足場用建枠
３              足場用建枠の横材
１１            コーナーステップ
１２            ステップ本体
１２ａ          ステップ本体の表面
１２ｂ          ステップ本体の裏面
１３            フック本体
１４            受け金具
１５            落下錠
１６            操作片
１７            貫通口
１９，２０      ピン
【図１】
2008138435.tif 000003
【図２】
2008138435.tif 000004
【図３】
2008138435.tif 000005
【図４】
2008138435.tif 000006
【図５】
2008138435.tif 000007
【図６】
2008138435.tif 000008
【図７】
2008138435.tif 000009
【図８】
2008138435.tif 000010
【図９】
2008138435.tif 000011
【図１０】
2008138435.tif 000012